(57)【要約】【課題】自車の現在位置のマッチングが一時的に中断される状況となっても、不要な案内によって運転者の集中力を低下させることのない走行案内装置を提供する。【解決手段】自車の現在位置のマッチングができない状態となった場合に、自車が位置したスクールゾーンの学校の位置座標を学校座標ＤＢ２３に記憶し、その後、マッチング可能な状態へと復帰した際に、自車が範囲内に位置するスクールゾーンの学校の座標と学校座標ＤＢ２３に記憶された学校の座標とが一致するか否かを判定し、一致すると判定された場合には、既に同一のスクールゾーンに対する案内を行っているので、スピーカ１６による案内を行わずに、ディスプレイ１５を用いて自車が位置するスクールゾーンの案内を画像のみにより行うように構成する。【選択図】図６
2008249656.tif 000002
【特許請求の範囲】
【請求項１】
地図に関する地図情報を記憶する地図情報記憶手段と、
前記地図上で特定施設を中心とする所定範囲内を規定した施設周辺エリアを取得するエリア取得手段と、
自車の現在位置を前記地図上の道路にマッチングするマップマッチング処理手段と、
前記マップマッチング処理手段によりマッチングされた自車の現在位置が施設周辺エリア内に位置するか否か判定する位置判定手段と、
前記位置判定手段によりマッチングされた自車の現在位置が施設周辺エリア内に位置すると判定された場合に案内を行う案内手段と、を有する走行案内装置において、
自車の現在位置が施設周辺エリア内に位置する状態で、且つ前記マップマッチング処理手段により自車の現在位置を前記地図上の道路にマッチングできなくなった場合に、自車が位置した施設周辺エリアの特定施設を記憶する履歴記憶手段と、
前記マップマッチング処理手段により自車の現在位置を前記地図上の道路にマッチングできない状態からマッチング可能な状態となった場合に、前記位置判定手段によりマッチングされた自車の現在位置が前記履歴記憶手段に記憶された前記特定施設の施設周辺エリア内に位置するか否か判定する一致判定手段と、
前記一致判定手段によって自車の現在位置が前記履歴記憶手段に記憶された前記特定施設の施設周辺エリア内に位置すると判定された場合に前記案内手段による案内を制限する案内制限手段と、を有することを特徴とする走行案内装置。
【請求項２】
前記特定施設は学校であり、
前記施設周辺エリアは前記学校を中心とする所定範囲内を規定したスクールゾーンであることを特徴とする請求項１に記載の走行案内装置。
【請求項３】
前記案内手段は、
画像による案内を行う画像案内手段と、
音声による案内を行う音声案内手段と、
を備え、
前記案内制限手段は、音声による案内を行わないように前記案内手段の案内を制限することを特徴とする請求項１又は請求項２に記載の走行案内装置。
【請求項４】
自車の現在位置が施設周辺エリア内に位置する状態で、且つ前記マップマッチング処理手段により自車の現在位置を前記地図上の道路ににマッチングできなくなった場合に、自車が位置した施設周辺エリアに関する案内を既に行ったか否かを判定する案内判定手段を有し、
前記履歴記憶手段は前記案内判定手段により施設周辺エリアに関する案内を既に行ったと判定された場合に、前記自車が位置した施設周辺エリアの特定施設を記憶することを特徴とする請求項１乃至請求項３のいずれかに記載の走行案内装置。
【発明の詳細な説明】
【技術分野】
【０００１】
本発明は、特定施設の周辺にある施設周辺エリアの案内を行う走行案内装置に関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。更に、かかるナビゲーション装置には、所望する目的地を入力すると、自車位置から目的地までの最適経路を探索する経路探索機能を備えており、ディスプレイ画面に誘導経路を表示するとともに、交差点に接近した場合等には音声による案内をすることによって、運転者を所望の目的地まで確実に案内するようになっている。
【０００３】
また、従来のナビゲーション装置では、特定施設の周辺にある施設周辺エリアに進入したことを案内することについても行われている。例えば、学校の周辺エリアについては、児童が通学路として利用する道路が多いので、走行する際に児童に注意するように案内することが望ましい。そこで、特開２００２−２５０６３２号公報には、学校を中心とした所定範囲内のエリアであるスクールゾーンに自車が進入した場合に、スクールゾーンに進入したことを案内する走行案内装置について記載されている。
【特許文献１】特開２００２−２５０６３２号公報（第４頁〜第６頁、図２〜図４）
【発明の開示】
【発明が解決しようとする課題】
【０００４】
ここで、前記した特許文献１に記載された走行案内装置では、走行経路に沿って走行しているときに、現在位置がスクールゾーン内にあるか否かを判定している。従って、現在位置が走行経路を構成する道路から外れ、再び走行経路に復帰した際に、既に進入しているスクールゾーンに再度進入したと誤認識されていた。
【０００５】
以下に、図７を用いて上記従来の問題点について具体例を挙げて説明する。図７に示すように車両１０１が学校１０２の周囲に規定されたスクールゾーン１０３に進入すると、進入した地点Ａにおいて先ずスクールゾーン１０３の案内が行われる。その後、地点Ｂにおいて車両１０１のマッチングが一時的に中断し、地点Ｃでマッチング可能な状態に復帰した場合には、地点Ｃにおいてもスクールゾーン１０３の案内が行われる。従って、地点Ａでスクールゾーン１０３の案内を行っていたにもかかわらず、地点Ｃでも同一エリアであるスクールゾーン１０３の案内が行われることとなり、運転者の集中力を低下させる結果になっていた。
【０００６】
本発明は前記従来における問題点を解消するためになされたものであり、自車の現在位置のマッチングが一時的に中断される状況となっても、既に案内が行われている特定施設の施設周辺エリアに関する案内は復帰後において制限するので、不要な案内によって運転者の集中力を低下させることのない走行案内装置を提供することを目的とする。
【課題を解決するための手段】
【０００７】
前記目的を達成するため本願の請求項１に係る走行案内装置（１）は、地図に関する地図情報を記憶する地図情報記憶手段（２２）と、前記地図上で特定施設を中心とする所定範囲内を規定した施設周辺エリアを取得するエリア取得手段（１３）と、自車の現在位置を前記地図上の道路にマッチングするマップマッチング処理手段（１３）と、前記マップマッチング処理手段によりマッチングされた自車の現在位置が施設周辺エリア内に位置するか否か判定する位置判定手段（１３）と、前記位置判定手段によりマッチングされた自車の現在位置が施設周辺エリア内に位置すると判定された場合に案内を行う案内手段（１５、１６）と、を有する走行案内装置において、自車の現在位置が施設周辺エリア内に位置する状態で、且つ前記マップマッチング処理手段により自車の現在位置を前記地図上の道路にマッチングできなくなった場合に、自車が位置した施設周辺エリアの特定施設を記憶する履歴記憶手段（２３）と、前記マップマッチング処理手段により自車の現在位置を前記地図上の道路にマッチングできない状態からマッチング可能な状態となった場合に、前記位置判定手段によりマッチングされた自車の現在位置が前記履歴記憶手段に記憶された前記特定施設の施設周辺エリア内に位置するか否か判定する一致判定手段（２２）と、前記一致判定手段によって自車の現在位置が前記履歴記憶手段に記憶された前記特定施設の施設周辺エリア内に位置すると判定された場合に前記案内手段による案内を制限する案内制限手段（１３）と、を有することを特徴とする。
ここで、「特定施設を記憶する」とは特定施設を識別する為の情報（例えば、施設の設置された位置座標や施設ＩＤ）を記憶することを含む。
【０００８】
また、請求項２に係る走行案内装置（１）は、請求項１に記載の走行案内装置であって、前記特定施設は学校であり、前記施設周辺エリアは前記学校を中心とする所定範囲内を規定したスクールゾーンであることを特徴とする。
【０００９】
また、請求項３に係る走行案内装置（１）は、請求項１又は請求項２に記載の走行案内装置であって、前記案内手段（１５、１６）は、画像による案内を行う画像案内手段（１５）と、音声による案内を行う音声案内手段（１６）と、を備え、前記案内制限手段（１３）は、音声による案内を行わないように前記案内手段の案内を制限することを特徴とする。
【００１０】
更に、請求項４に係る走行案内装置（１）は、請求項１又は請求項２に記載の走行案内装置であって、自車の現在位置が施設周辺エリア内に位置する状態で、且つ前記マップマッチング処理手段（１３）により自車の現在位置を前記地図上にマッチングできなくなった場合に、自車が位置した施設周辺エリアに関する案内を既に行ったか否かを判定する案内判定手段（１３）を有し、前記履歴記憶手段（２３）は前記案内判定手段により施設周辺エリアに関する案内を既に行ったと判定された場合に、前記自車が位置した施設周辺エリアの特定施設を記憶することを特徴とする。
【発明の効果】
【００１１】
前記構成を有する請求項１に記載の走行案内装置によれば、自車の現在位置のマッチングが一時的に中断される状況となっても、マッチングの中断前と復帰後とで同一の特定施設の施設周辺エリアに自車が位置する場合には、その施設周辺エリアに関する案内は復帰後において制限するので、不要な案内によって運転者の集中力を低下させることがない。
【００１２】
また、請求項２に記載の走行案内装置によれば、特に学校の周辺エリアを規定したスクールゾーンの案内を行うに際して、自車の現在位置のマッチングが一時的に中断される状況となっても、マッチングの中断前と復帰後とで同一の学校のスクールゾーンに自車が位置する場合には、そのスクールゾーンに関する案内は復帰後において制限するので、不要な案内によって運転者の集中力を低下させることがない。
【００１３】
また、請求項３に記載の走行案内装置によれば、頻繁に行っても影響が少ないと考えられる画像による案内は行いつつ、音声による案内は行わないように案内を制限するので、運転者への集中力の低下を抑えつつ、少なくとも特定施設の施設周辺エリアの存在については運転者に報知することが可能となる。従って、運転者が過去に行われた特定施設の施設周辺エリアの案内を聞いていなかった場合でも、特定施設の施設周辺エリアに自車が進入していることに気付かせることが可能となる。
【００１４】
更に、請求項４に記載の走行案内装置によれば、自車の現在位置のマッチングが一時的に中断される状況となっても、既に案内を行った特定施設の施設周辺エリアに自車が位置する場合には、その施設周辺エリアに関する案内は復帰後において制限するので、同一の施設周辺エリアに対する案内を繰り返し行うことによって運転者の集中力を低下させる虞がない。
【発明を実施するための最良の形態】
【００１５】
以下、本発明に係る走行案内装置についてナビゲーション装置に具体化した一実施形態に基づき図面を参照しつつ詳細に説明する。先ず、本実施形態に係るナビゲーション装置１の概略構成について図１を用いて説明する。図１は本実施形態に係るナビゲーション装置１を示したブロック図である。
【００１６】
図１に示すように本実施形態に係るナビゲーション装置１は、自車の現在位置を検出する現在位置検出部１１と、各種のデータが記録されたデータ記録部１２と、入力された情報に基づいて、各種の演算処理を行うナビゲーションＥＣＵ（エリア取得手段、マップマッチング手段、位置判定手段、一致判定手段、案内制限手段、案内判定手段）１３と、操作者からの操作を受け付ける操作部１４と、操作者に対して自車周辺の地図やスクールゾーンに対する案内等を表示するディスプレイ（案内手段）１５と、経路案内に関する音声ガイダンスやスクールゾーンに対する案内等を出力するスピーカ（案内手段）１６と、プログラムを記憶した記憶媒体であるＤＶＤを読み取るＤＶＤドライブ１７、交通情報センタ等の情報センタとの間で通信を行う通信装置１８と、から構成されている。また、ナビゲーションＥＣＵ１３には、自車の走行速度を検出する車速センサ１９が接続される。
【００１７】
以下に、ナビゲーション装置１を構成する各構成要素について順に説明する。
現在位置検出部１１は、ＧＰＳ３１、地磁気センサ３２、距離センサ３３、ステアリングセンサ３４、方位検出部としてのジャイロセンサ３５、高度計（図示せず）等からなり、現在の自車の位置、方位、目標物（例えば、交差点）までの距離等を検出することが可能となっている。
【００１８】
また、データ記録部１２は、外部記憶装置及び記録媒体としてのハードディスク（図示せず）と、ハードディスクに記録された地図情報ＤＢ（地図情報記憶手段）２２、学校座標ＤＢ（履歴記憶手段）２３、所定のプログラム等を読み出すとともにハードディスクに所定のデータを書き込む為のドライバである記録ヘッド（図示せず）とを備えている。
【００１９】
ここで、地図情報ＤＢ２２は、経路案内、交通情報案内及び地図表示に必要な各種地図データが記録されている。具体的には、学校等の施設に関する施設データ２４、施設データ２４に記憶された施設の内、特に学校を中心とした半径５００ｍ以内のエリア（以下、スクールゾーンという）を記憶したスクールゾーンデータ２５、道路（リンク）形状に関するリンクデータ、ノード点に関するノードデータ、各交差点に関する交差点データ、経路を探索するための探索データ、施設に関する施設データ、地点を検索するための検索データ、地図、道路、交通情報等の画像をディスプレイ１５に描画するための画像描画データ等から構成されている。そして、ナビゲーションＥＣＵ１３は現在位置検出部１１により検出された自車の現在位置と地図情報ＤＢ２２に記憶された地図データとを用いて、自車の現在位置を地図上の道路にマッチングするマップマッチング処理を行う。
【００２０】
また、学校座標ＤＢ２３は、ナビゲーション装置１により自車の現在位置がマッチングできない状態となった際に、自車が最後に位置したスクールゾーンの学校の位置座標を記憶するＤＢである。そして、ナビゲーションＥＣＵ１３は学校座標ＤＢ２３に記憶された座標情報に基づいて、後述するようにマッチングが復帰した際のスクールゾーンに対する案内の制限を行う。
【００２１】
一方、ナビゲーションＥＣＵ（エレクトロニック・コントロール・ユニット）１３は、目的地が選択された場合に現在位置から目的地までの誘導経路を設定する誘導経路設定処理、自車の現在位置を地図上の道路にマッチングするマップマッチング処理、自車がスクールゾーン内に位置する場合にスクールゾーンに対する案内を行うスクールゾーン案内処理等のナビゲーション装置１の全体の制御を行う電子制御ユニットである。そして、演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラムのほか、スクールゾーン案内処理プログラム（図２、図３参照）等が記録されたＲＯＭ４３、ＲＯＭ４３から読み出したプログラムを記録するフラッシュメモリ４４等の内部記憶装置を備えている。
【００２２】
操作部１４は、案内開始地点としての出発地及び案内終了地点としての目的地を入力する際等に操作され、各種のキー、ボタン等の複数の操作スイッチ（図示せず）から構成される。そして、ナビゲーションＥＣＵ１３は、各スイッチの押下等により出力されるスイッチ信号に基づき、対応する各種の動作を実行すべく制御を行う。尚、ディスプレイ１５の前面に設けたタッチパネルによって構成することもできる。
【００２３】
また、ディスプレイ１５には、道路を含む地図画像、交通情報、操作案内、操作メニュー、キーの案内、現在位置から目的地までの誘導経路、誘導経路に沿った案内情報、ニュース、天気予報、時刻、メール、テレビ番組等が表示される。また、車両がスクールゾーンに進入した際には、スクールゾーンへと進入したことを案内するマークや案内文を表示する。
【００２４】
また、スピーカ１６は、ナビゲーションＥＣＵ１３からの指示に基づいて誘導経路に沿った走行を案内する音声ガイダンスや、交通情報の案内を出力する。また、自車がスクールゾーンに進入した際には、スクールゾーンへと進入したことを案内する音声を出力する。但し、本実施形態に係るナビゲーション装置１では、自車の現在位置がマッチングできない状態からマッチング可能な状態に復帰した時点で自車がスクールゾーン内に位置する場合には、後述のように音声によるスクールゾーンの案内が制限される。
【００２５】
また、ＤＶＤドライブ１７は、ＤＶＤやＣＤ等の記録媒体に記録されたデータを読み取り可能なドライブである。そして、読み取ったデータに基づいて地図情報ＤＢ２２の更新等が行われる。
【００２６】
また、通信装置１８は、交通情報センタ、例えば、ＶＩＣＳ（登録商標：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタ等から送信された渋滞情報、規制情報、駐車場情報、交通事故情報等の各情報から成る交通情報を、道路に沿って配設された電波ビーコン装置、光ビーコン装置等を介して電波ビーコン、光ビーコン等として受信するビーコンレシーバである。
【００２７】
一方、車速センサ１９は、車両の車輪の回転に応じて車速パルスを発生させ、車両の移動距離や車速を検出するセンサである。
【００２８】
続いて、前記構成を有するナビゲーション装置１においてナビゲーションＥＣＵ１３が実行するスクールゾーン案内処理プログラムについて図２及び図３に基づき説明する。図２は本実施形態に係るスクールゾーン案内処理プログラムのフローチャートである。ここで、スクールゾーン案内処理プログラムは車両のイグニションがＯＮされた後に所定間隔（例えば２００ｍｓ毎）で実行され、スクールゾーン内に進入した車両に対してスクールゾーンに対する案内を行うプログラムである。尚、以下の図２及び図３にフローチャートで示されるプログラムは、ナビゲーション装置１が備えているＲＡＭ４２やＲＯＭ４３に記憶されており、ＣＰＵ４１により実行される。
【００２９】
先ず、スクールゾーン案内処理プログラムではステップ（以下、Ｓと略記する）１において、ＣＰＵ４１はナビゲーション情報を取得する。ここで、前記Ｓ１で取得されるナビゲーション情報としては、車両の現在位置、車両の方位、車両周辺の地図情報等がある。
【００３０】
そして、Ｓ２ではＣＰＵ４１は、自車の現在位置が地図上の道路にマッチング中であるか否かを判定する。そして、並設されている道路にマッチングの位置が移動した場合やＧＰＳによる電波受信不良等の原因によって自車の現在位置がマッチング中でないと判定された場合（Ｓ２：ＮＯ）には、Ｓ３へと移行する。一方、自車の現在位置がマッチング中であると判定された場合（Ｓ２：ＹＥＳ）にはＳ６へと移行し、スクールゾーンに対する案内を行う案内実施処理（図３）が行われる。
【００３１】
また、Ｓ３においてＣＰＵ４１は、ナビゲーション装置１において後述のＳ１５で最後に座標が取得された学校のスクールゾーン（即ち、マッチングができなくなる前に自車が最後に位置したスクールゾーン）に対する案内を既に行っているか否かを判定する。
【００３２】
そして、最後に座標が取得された学校のスクールゾーンに対する案内を行っていると判定された場合（Ｓ３：ＹＥＳ）には、その最後に座標が取得された学校の座標を学校座標ＤＢ２３に記憶する（Ｓ４）。それに対して、最後に座標が取得された学校のスクールゾーンに対する案内を行っていないと判定された場合（Ｓ３：ＮＯ）には、その最後に座標が取得された学校の座標を学校座標ＤＢ２３に記憶することなく破棄する（Ｓ５）。尚、上記Ｓ３が案内判定手段の処理に相当する。
【００３３】
次に、前記Ｓ６でナビゲーションＥＣＵ１３により実行される案内実施処理について図３に基づき説明する。図３は本実施形態に係る案内実施処理プログラムのフローチャートである。
【００３４】
先ず、案内実施処理プログラムではＳ１１においてＣＰＵ４１は、学校を中心とした半径５００ｍ以内のエリアを規定したスクールゾーンに関する情報を地図情報ＤＢ２２から取得する。尚、上記Ｓ１１がエリア取得手段の処理に相当する。
【００３５】
その後、Ｓ１２でＣＰＵ４１は、マップマッチング処理の結果において自車がいずれかのスクールゾーン内に位置する状態にあり、且つ、ナビゲーション装置１がナビゲーション画面を表示したスクールゾーンの案内が可能な状態にあるか否か判定する。
【００３６】
その結果、自車がいずれのスクールゾーン内にも位置しない状態であると判定された場合、又はナビゲーション装置１が現在スクールゾーンの案内ができない状態にあると判定された場合（Ｓ１２：ＮＯ）には、スクールゾーンの案内を行うことなく案内実施処理プログラムを終了する。
【００３７】
一方、自車がいずれかのスクールゾーン内に位置する状態で、且つ、ナビゲーション装置１がスクールゾーンの案内が可能な状態にあると判定された場合（Ｓ１２：ＹＥＳ）には、自車がエリア内に位置すると判定された全てのスクールゾーンの学校に関するデータ（具体的には学校の位置座標）を地図情報ＤＢ２２から読み出す（Ｓ１３）。尚、上記Ｓ１２が位置判定手段の処理に相当する。
【００３８】
次に、Ｓ１４でＣＰＵ４１は、前記Ｓ１３で読み出した全学校について、自車位置から学校までの距離データのチェックが完了したか否か判定する。そして、全学校の距離データのチェックが完了していない場合（Ｓ１４：ＮＯ）には、チェックが完了するまで待機する。一方、全学校の距離データのチェックが完了した場合（Ｓ１４：ＹＥＳ）にはＳ１５へと移行する。
【００３９】
Ｓ１５においてＣＰＵ４１は、自車の現在位置と前記Ｓ１３で取得した学校の位置座標とに基づいて、自車から最も近い位置にある学校を、ナビゲーション装置１により案内対象とするスクールゾーンの学校として選択して、座標を取得する。
【００４０】
その後、Ｓ１６でＣＰＵ４１は、前記Ｓ１５で選択した学校の座標が学校座標ＤＢ２３に記憶されている学校の座標と一致するか否か判定する。尚、学校座標ＤＢ２３には前記Ｓ４及びＳ５の処理によって、マッチングができなくなる前に自車が最後に位置したスクールゾーンの学校の座標が記憶されている。
従って、マッチングできない状態からマッチング可能な状態となった際に、マッチングができなくなる前と同一のスクールゾーンに位置し、且つそのスクールゾーンの案内を既に行っていた場合には、学校座標ＤＢ２３に記憶されている学校の座標と一致すると判定される。
それに対して、（１）自車が新たなスクールゾーンに進入した場合、（２）マッチングできない状態からマッチング可能な状態となった際に、マッチングができなくなる前と異なるスクールゾーンに位置した場合、（３）マッチングできない状態からマッチング可能な状態となった際に、マッチングができなくなる前と同一のスクールゾーンに位置しているが、そのスクールゾーンの案内を行っていない場合には、学校座標ＤＢ２３に記憶されている学校の座標と一致しないと判定される。
【００４１】
そして、学校座標ＤＢ２３に記憶されている学校の座標と一致しないと判定された場合（Ｓ１６：ＮＯ）には、通常通りにディスプレイ１５とスピーカ１６を用いて自車が位置するスクールゾーンの案内を画像と音声により行う（Ｓ１７）。一方、学校座標ＤＢ２３に記憶されている学校の座標と一致すると判定された場合（Ｓ１６：ＹＥＳ）には、既に同一のスクールゾーンに対する案内を行っているので、スピーカ１６による案内を行わずに、ディスプレイ１５を用いて自車が位置するスクールゾーンの案内を画像のみにより行う（Ｓ１８）。尚、マッチングの復帰後に最初に行われた案内実施処理後に、学校座標ＤＢ２３は初期化される。また、イグニッションがＯＦＦされた際にも、同様に学校座標ＤＢ２３は初期化される。それによって、誤ったスクールゾーンの案内が行われることを防止する。尚、上記Ｓ１６が一致判定手段の処理に相当し、Ｓ１８が案内制限手段の処理に相当する。
【００４２】
次に、図４乃至図６を用いて前記案内実施処理によるスクールゾーン案内の具体例について説明する。
図４に示すように、自車５１が学校５２のスクールゾーン５３に初めて進入した段階では、学校座標ＤＢ２３にはいずれの学校の位置座標も記憶されていない。従って、Ｓ１６において自車５１から最も近い位置にある学校５２の座標と学校座標ＤＢ２３に記憶されている学校の座標とが一致しないと判定されて、通常通りにディスプレイ１５とスピーカ１６を用いてスクールゾーン５３に対する案内が画像と音声の両方により行われる。
【００４３】
次に、図５に示すように、自車５１が学校５２のスクールゾーン５３に進入した後に地点Ｘでマッチングできない状態となった段階では、前記Ｓ３においてマッチングができなくなる前に自車が最後に位置したスクールゾーン５３に対する案内を既に行っていると判定される。従って、Ｓ４において学校５２の座標が学校座標ＤＢ２３に記憶される。
【００４４】
その後、図６に示すように、自車５１が学校５２のスクールゾーン５３内でマッチンクできない状態から地点Ｙでマッチング可能な状態に復帰した段階では、Ｓ１５において自車５１から最も近くにある学校５２が選択される。そして、Ｓ１６においては学校座標ＤＢ２３に記憶されている学校５２と一致すると判定されるので、スピーカ１６による案内を行わずに、ディスプレイ１５を用いてスクールゾーン５３の案内が画像のみにより行われる。それによって、スクールゾーン５３の案内を音声により繰り返し行うことを防止できる。
【００４５】
以上詳細に説明した通り、本実施形態に係るナビゲーション装置１では、自車の現在位置のマッチングができない状態となった場合（Ｓ３：ＮＯ）に、自車が位置したスクールゾーンの学校の位置座標を学校座標ＤＢ２３に記憶し（Ｓ４）、その後、マッチング可能な状態へと復帰した際に、自車が範囲内に位置するスクールゾーンの学校の座標と学校座標ＤＢ２３に記憶された学校の座標とが一致するか否かを判定し（Ｓ１６）、一致すると判定された場合（Ｓ１６：ＹＥＳ）には、既に同一のスクールゾーンに対する案内を行っているので、スピーカ１６による案内を行わずに、ディスプレイ１５を用いて自車が位置するスクールゾーンの案内を画像のみにより行う（Ｓ１８）ので、自車の現在位置のマッチングが一時的に中断される状況となっても、不要なスクールゾーンの案内を繰り返し行うことによって運転者の集中力を低下させることがない。
また、頻繁に行っても影響が少ないと考えられる画像による案内は行いつつ、音声による案内は行わないように案内を制限するので、運転者への集中力の低下を抑えつつ、少なくともスクールゾーンの存在については運転者に報知することが可能となる。従って、運転者が過去に行われたスクールゾーンの案内を聞いていなかった場合でも、スクールゾーンに自車が進入していることに気付かせることが可能となる。
【００４６】
尚、本発明は前記実施形態に限定されるものではなく、本発明の要旨を逸脱しない範囲内で種々の改良、変形が可能であることは勿論である。
例えば、本実施形態では学校の周囲エリアを規定したスクールゾーンの案内を行う場合について説明したが、他の施設（例えば、病院や消防署）の周囲エリアを案内する場合についても本願発明は適用可能である。
【００４７】
また、本実施形態ではマッチングができない状態となる直前に位置したスクールゾーンを特定する為に、そのスクールゾーンの学校の位置座標を学校座標ＤＢ２３に記憶する（Ｓ４）ようにしているが、学校の施設ＩＤを記憶するようにしても良い。また、学校ではなくスクールゾーンを特定する情報を記憶するようにしても良い。
【図面の簡単な説明】
【００４８】
【図１】本実施形態に係るナビゲーション装置のブロック図である。
【図２】本実施形態に係るスクールゾーン案内処理プログラムのフローチャートである。
【図３】本実施形態に係る案内実施処理プログラムのフローチャートである。
【図４】自車がスクールゾーンに進入した段階を示した模式図である。
【図５】自車がスクールゾーンに進入した後に地点Ｘでマッチングできない状態となった段階を示した模式図である。
【図６】自車がスクールゾーンに進入した後にマッチンクできない状態から地点Ｙでマッチング可能な状態となった段階を示した模式図である。
【図７】従来の問題点を説明した説明図である。
【符号の説明】
【００４９】
１              ナビゲーション装置
１３            ナビゲーションＥＣＵ
１５            ディスプレイ
１６            スピーカ
２２            地図情報ＤＢ
２３            学校座標ＤＢ
４１            ＣＰＵ
４２            ＲＡＭ
４３            ＲＯＭ
【図１】
2008249656.tif 000003
【図２】
2008249656.tif 000004
【図３】
2008249656.tif 000005
【図４】
2008249656.tif 000006
【図５】
2008249656.tif 000007
【図６】
2008249656.tif 000008
【図７】
2008249656.tif 000009